(57)【要約】【課題】歯列や歯と歯ぐきの境目等へのフィット感、くまなく磨ける感じ、歯ぐきにやさしい感触等を効果的に得ることのできる歯ブラシを提供する。【解決手段】ブリッスル１４を束ねてなるタフト１５が歯ブラシ本体１７の植毛台１１の複数の植毛孔１３に各々植設されている歯ブラシ１０であって、タフト１５を構成するブリッスル１４の先端を連ねたブラシ面２１は、植毛台１１の短手方向Ｙと対向する側面側から見た際に、下に凸の弧状に湾曲するμ字形状となっており、かつ植毛台１１の長手方向Ｘと対向する先端側から見た際に、中央部分を頂部とする山状の形状となっており、かつブリッスル１４は、先端がテーパー形状となっている。また、最外周に配置される植毛孔１３の外縁を結んだ環状線１８によって囲まれる領域を植毛台１１の植毛領域１９として、この植毛領域１９の面積に対する植毛孔１３の面積の総和の割合が３５％以上となっている。【選択図】図１
2007151795.tif 000002
【特許請求の範囲】
【請求項１】
ブリッスルを束ねてなるタフトが植毛台の複数の植毛孔に各々植設されている歯ブラシであって、
前記タフトを構成するブリッスルの先端を連ねたブラシ面が、前記植毛台の短手方向と対向する側面側から見た際に下に凸の弧状に湾曲するμ字形状となっており、前記植毛台の長手方向と対向する先端側から見た際に中央部分を頂部とする山状又は上に凸の弧状の形状となっており、
かつ前記タフトを構成するブリッスルは、先端がテーパー形状となっており、
かつ最外周に配置される前記植毛孔の外縁を結んだ環状線によって囲まれる領域を前記植毛台の植毛領域として、該植毛領域の面積に対する前記植毛孔の面積の総和の割合が３５％以上となっている歯ブラシ。
【請求項２】
前記植毛孔は、略正方形、略菱形又は略六角形の平面形状を有している請求項１に記載の歯ブラシ。
【発明の詳細な説明】
【技術分野】
【０００１】
本発明は、歯ブラシに関し、特にブリッスルを束ねてなるタフトが植毛台の複数の植毛孔に各々植設されている歯ブラシに関する。
【背景技術】
【０００２】
歯ブラシは、複数本のブリッスルを束ねてなるタフトを、植毛台に形成した複数の植毛孔に例えば平線を打ち込んだり熱で融着させる方法等によって植設固定することにより、複数のタフトからなるブラシ部を形成して得られるものである。また、歯ブラシは、歯面部、歯間部、歯頸部等の歯の部位や、前歯、奥歯等の歯の種類に応じた適切な刷掃を効率良く行うことができるようにすると共に、使用感を向上させるために、タフトの配置やブラシ部の全体の形状等に種々の工夫がなされている。
【０００３】
例えば、植毛台に植設されるブリッスルの長さに差を設けることによって、歯列の凹凸や歯と歯ぐきの境目への到達感を向上させた歯ブラシが開示されている（例えば、特許文献１、特許文献２参照）。ブリッスルの長さに差を設けたこれらの歯ブラシは、植毛台の長手方向のブラシ面を鋸歯型にしたり（特許文献１）、植毛台の短手方向のブラシ面を山型にした（特許文献２）ものである。
【特許文献１】実開昭６２−１０６５２２号公報
【特許文献２】実開平３−８２０２３号公報
【発明の開示】
【発明が解決しようとする課題】
【０００４】
しかしながら、ブリッスルの長さに差を設けた歯ブラシでは、歯列の凹凸や歯と歯ぐきの境目への到達感が得られる反面、刷掃圧が長い毛先に集中して歯ぐきに対する刺激が強まり、歯列の凹凸や歯と歯ぐきの境目にフィットする感じやくまなく磨ける感じが劣ることになる。
【０００５】
本発明は、歯列や歯と歯ぐきの境目等へのフィット感、くまなく磨ける感じ、歯ぐきにやさしい感触等を効果的に得ることのできる歯ブラシを提供することを目的とする。
【課題を解決するための手段】
【０００６】
本発明は、ブリッスルを束ねてなるタフトが植毛台の複数の植毛孔に各々植設されている歯ブラシであって、前記タフトを構成するブリッスルの先端を連ねたブラシ面が、前記植毛台の短手方向と対向する側面側から見た際にμ字形状となっており、前記植毛台の長手方向と対向する先端側から見た際に中央部分を頂部とする山状又は上に凸の弧状の形状となっており、かつ前記タフトを構成するブリッスルは、先端がテーパー形状となっており、かつ最外周に配置される前記植毛孔の外縁を結んだ環状線によって囲まれる領域を前記植毛台の植毛領域として、該植毛領域の面積に対する前記植毛孔の面積の総和の割合が３５％以上となっている歯ブラシを提供することにより、上記目的を達成したものである。
【発明の効果】
【０００７】
本発明の歯ブラシによれば、歯列や歯と歯ぐきの境目等へのフィット感、くまなく磨ける感じ、歯ぐきにやさしい感触等を効果的に得ることができる。
【発明を実施するための最良の形態】
【０００８】
図１〜図４に示す本発明の好ましい一実施形態に係る歯ブラシ１０は、把持部（図示せず）と植毛台１１とこれらを連結する首部１２とからなる歯ブラシ本体１７の植毛台１１に形成した複数の植毛孔１３に、複数本のブリッスル１４を束ねてなる毛束（タフト）１５を各々植毛（植設）してブラシ部１６を形成することにより構成される。
【０００９】
すなわち、本実施形態の歯ブラシ１０は、ブリッスル１４を束ねてなるタフト１５が歯ブラシ本体１７の植毛台１１の複数の植毛孔１３に各々植設されている歯ブラシであって、タフト１５を構成するブリッスル１４の先端を連ねたブラシ面２１は、植毛台１１の短手方向Ｙと対向する側面側から見た際に、先端から中央に向かって一旦ブリッスルが長くなった後、下に凸の弧状に湾曲し、再度末端に向かってブリッスルが短くなるμ字形状となっており（図１，図４（ｂ）参照）、かつ植毛台１１の長手方向Ｘと対向する先端側から見た際に、中央部分を頂部とする山状の形状となっている（図２，図４（ｃ）〜（ｅ）参照）。また、最外周に配置される植毛孔１３の外縁を結んだ環状線１８（図３，図４（ａ）参照）によって囲まれる領域を植毛台１１の植毛領域１９として、この植毛領域１９の面積に対する植毛孔１３の面積の総和の割合が３５％以上となっている。
【００１０】
本実施形態では、歯ブラシ本体１７は、例えばポリプロピレン、ＡＢＳ樹脂等の合成樹脂からなり、その植毛台１１の平坦な表面には、各タフト１５の配設位置に対応させて、後述する所定の配設ピッチで略正方形の平面形状を備える多数（複数）の植毛孔１３が、例えば２〜５ｍｍの深さで開口形成されている。各植毛孔１３には、タフト１５が、好ましくは平線３０を打ち込む方法によって、植毛台１１の表面からの高さである毛丈が好ましくは７〜１４ｍｍとなるように各々植設されている。
【００１１】
各タフト１５を構成するブリッスル１４は、例えばナイロン等の合成樹脂や、豚毛などの天然素材からなる、例えば６〜１０ｍｉｌ（０．１５〜０．２５ｍｍ）の太さを有するフィラメント材であって、これを例えば数本〜数十本束ねることによってタフト１５が形成される。またブリッスル１４の先端部分は、テーパー形状となっている。
【００１２】
本実施形態では、各タフト１５が植設される植毛孔１３は、各々、例えば縦横０．８〜２．５ｍｍの大きさの、角部が円弧状に面取りされた略正方形の平面形状を備えており、その一方の対角線が植毛台１１の長手方向Ｘに沿うように配置され、当該長手方向Ｘに連設して３列、合計１６箇所に形成されている。また各列の植毛孔１３は、隣接する列の隣り合う植毛孔１３間に位置するように各々配置されて、千鳥状に配設されている。
【００１３】
そして、本実施形態では、タフト１５を構成するブリッスル１４の先端を連ねたブラシ面２１は、図１に示すように、植毛台１１の短手方向Ｙと対向する側面側から見た際に、好ましくは３０〜６０ｍｍ、さらに好ましくは４０〜５０ｍｍの曲率半径で下に凸の弧状に湾曲しているとともに、先端部や後端部の双方がそれぞれ先端側および後端側に向けて直線上あるいは曲線状に斜めに切り揃えられたμ字形状となっている（図４（ｂ）参照）。曲率半径が３０〜６０ｍｍとなっていることにより、歯列の湾曲に対して面で接触するため、刷掃圧が特定のブリッスルに集中することがなくフィット感が高まり、先端部や後端部の双方が斜めに切り揃えられていることにより、ブラッシングの際ブリッスル１４が歯ぐきに突き当たることがなく歯ぐきに対する刺激も小さくなる。
【００１４】
さらに、本実施形態では、タフト１５を構成するブリッスル１４の先端を連ねたブラシ面２１は、図２に示すように、植毛台１１の長手方向Ｘと対向する先端側から見た際に、中央部分を頂部とする好ましくは１２０〜１６０度、さらに好ましくは１３０〜１５０度の頂角の山状の形状となっている（図４（ｃ）〜（ｅ）参照）。山状の形状の頂角が１２０〜１６０度となっていることにより、歯と歯ぐきの境目を磨く時に面で接触するため、刷掃圧が特定のブリッスルに集中することがなく、フィット感が高まるという利点が得られることになる。なお、本発明では、中央部分を頂部とする凸形状は、山状の他、上に凸の弧状の形状とすることもできる。上に凸の弧状の形状とする場合には、その曲率半径を好ましくは８〜３０ｍｍ、さらに好ましくは１２〜２５ｍｍとすることができる。
【００１５】
また、本実施形態では、最外周に配置される植毛孔１３の外縁を結んだ環状線１８によって囲まれる植毛領域１９の面積（図４（ａ）参照）に対する、植毛孔１３の面積の総和の割合は、３５％以上となっており、好ましくは３５〜７０％、さらに好ましくは４０〜６０％となっている。植毛領域１９の面積に対する植毛孔１３の面積の総和の割合が３５％以上となっていることにより、刷掃圧が少数のブリッスルに集中することがなく、その結果、歯ぐきに対する刺激も小さくなるという利点が得られることになる。
【００１６】
また、本実施形態によれば、タフト１５を構成するブリッスル１４は、先端がテーパー形状となっているので、ブリッスル１４の植毛密度が高くなったブラシ部１６の刷掃時における感触をよりソフトにすることが可能になる。
【００１７】
なお、本実施形態では、植毛台１１の各列における隣接する植毛孔１３間の長手方向Ｘの中心配設ピッチは、例えば１．２〜４．０ｍｍとなっており、隣接する列間の短手方向Ｙの中心配設ピッチは、例えば１．５〜５．０ｍｍとなっている。
【００１８】
また、本実施形態によれば、植毛孔１３は、略正方形の平面形状を有しており、一方の対角線を植毛台１１の長手方向Ｘに沿わせて配置することにより、上述のようなブラシ部１６の全体に亘ってブリッスル１４の偏りがなく、略均一にブリッスル１４の植毛密度が高くなった、植毛領域１９の面積に対する植毛孔１３の面積の総和の割合が３５％以上の歯ブラシ１０を容易に形成することが可能になる。
【００１９】
なお、本発明は上記実施形態に限定されることなく種々の変更が可能である。例えば、植毛孔は、略正方形の平面形状を備え、一方の対角線を植毛台の長手方向に沿わせて配置する必要は必ずしもなく、例えば略菱形又は略六角形の平面形状や、円形の平面形状を備えるものであっても良い。また、タフトは、平線を介して植毛孔に植設されるものである必要は必ずしもなく、融着植毛等によって植設されるものであっても良い。
【実施例】
【００２０】
以下、実施例及び比較例により、本発明の歯ブラシをさらに詳細に説明するが、本発明はこれらに限定されるものではない。
【００２１】
〔実施例１，２、比較例１〜３〕
植毛孔をφ１．６の円形の平面形状とした以外は上記実施形態の歯ブラシ１０と同様の構成を有する歯ブラシを実施例１の歯ブラシとした。植毛孔を１．９×１．９ｍｍの略正方形の平面形状とした上記実施形態の歯ブラシ１０と同様の構成を有する歯ブラシを実施例２の歯ブラシとした。表１に示すように植毛孔をφ１．６の円形の平面形状とし、側面方向から見たブラシ面のカット形状を２つの山型、先端方向から見たブラシ面のカット形状を凸型とした以外は上記実施形態の歯ブラシ１０と略同様の構成を有する歯ブラシを比較例１の歯ブラシとした。植毛孔を１．８×１．４ｍｍの略長方形の平面形状とし、側面方向から見たブラシ面のカット形状をＵ字型＋鋸歯型、先端方向から見たブラシ面のカット形状をフラットとした以外は上記実施形態の歯ブラシ１０と略同様の構成を有する歯ブラシを比較例２の歯ブラシとした。植毛孔をφ１．６の円形の平面形状とし、側面方向から見たブラシ面のカット形状をフラット、先端方向から見たブラシ面のカット形状をドーム型とした以外は上記実施形態の歯ブラシ１０と略同様の構成を有する歯ブラシを比較例３の歯ブラシとした。なお、ブリッスルの毛先の形状は、比較例１の歯ブラシでは内側に位置するタフトのブリッスルを先細のテーパー形状、外側に位置するタフトのブリッスルをラウンド形状とし、比較例２の歯ブラシではラウンド形状とし、比較例３の歯ブラシではやや先細のテーパー形状とした。
実施例１，２、及び比較例１〜３の歯ブラシについて、以下の方法によって、使用評価を行った。
【００２２】
【表１】
2007151795.tif 000003
【００２３】
〔使用評価方法〕
２０代から３０代の男女１０名を被験者に選び、歯磨き時の使用感についてアンケートを行って評価した。使用評価は、５段階評価（「感じる」５点、「やや感じる」４点、「どちらともいえない」３点、「あまり感じない」２点、「感じない」１点）によるスコアの合計によって行い、４５点以上を◎、４０点以上を○、３０点以上を△、３０点未満を×とした。評価結果を表２に示す。
【００２４】
【表２】
2007151795.tif 000004
【００２５】
表２に示す評価結果によれば、本発明に係る実施例１及び実施例２の歯ブラシは、「歯ぐきにやさしい感じ」、「くまなく磨ける感じ」、「歯列にフィットする感じ」、及び「歯と歯ぐきの境目にフィットする感じ」のいずれにも優れていることがわかる。
【００２６】
また、被験者より「側面方向から見たカット形状がμ字型で、毛先がテーパー形状の方が歯列にフィットする感じがした。」、「先端方向から見たカット形状が略凸型で、毛先がテーパー形状の方が歯と歯ぐきの境目にフィットする感じがした。」とのコメントが得られた。
【図面の簡単な説明】
【００２７】
【図１】本発明の好ましい一実施形態に係る歯ブラシの要部側面図である。
【図２】本発明の好ましい一実施形態に係る歯ブラシの要部正面図である。
【図３】本発明の好ましい一実施形態に係る歯ブラシの要部平面図である。
【図４】（ａ）は環状線によって囲まれる植毛台の植毛領域を説明する略示平面図、（ｂ）はμ字形状のブラシ面を説明する（ａ）のＢ−Ｂ線に沿った略示断面図、（ｃ）は山状の形状のブラシ面を説明する（ｂ）のＣ−Ｃ線に沿った略示断面図、（ｄ）は山状の形状のブラシ面を説明する（ｂ）のＤ−Ｄ線に沿った略示断面図、（ｅ）は山状の形状のブラシ面を説明する（ｂ）のＥ−Ｅ線に沿った略示断面図である。
【符号の説明】
【００２８】
１０  歯ブラシ
１１  植毛台
１２  首部
１３  植毛孔
１４  ブリッスル
１５  タフト（毛束）
１６  ブラシ部
１７  歯ブラシ本体
１８  最外周に配置される植毛孔の外縁を結んだ環状線
１９  植毛領域
２１  ブラシ面
Ｘ    植毛台の長手方向
Ｙ    植毛台の短手方向
【図１】
2007151795.tif 000005
【図２】
2007151795.tif 000006
【図３】
2007151795.tif 000007
【図４】
2007151795.tif 000008